(57)【要約】【課題】  ネスティング状態にある上段の運搬用容器の取り外しが簡単にでき、作業性が向上する。【解決手段】    運搬用容器１の側壁部３に形成した一対の支持脚４の互いに対向する面である内側面に、下端が下面に到り且つ下に行くほど互いに離れるように傾斜した傾斜面６を形成する。ネスティング状態における上段の運搬用容器１の他端部Ｂ側を支点として一端部Ａを持ち上げて該持ち上げた側に近い方の支持脚４の外側面の下端が対応するポケット部５よりも上方に位置した状態で、持ち上げた側から遠い側の支持脚４の内側面に形成した傾斜面６の少なくとも上端が対応するポケット部５の上端とほぼ同じ高さ又は上方に位置するように設定する。【選択図】        図１
2010126171.tif 000002
【特許請求の範囲】
【請求項１】
上方が開口した平面視長方形状をした運搬用容器の上開口部の外周部にフランジ部を形成し、対向する側壁部の外面部の各両端部付近にそれぞれ側壁部の外面より突出した支持脚を設け、側壁部に支持脚をはめ込むことのできる上方及び内方に開口したポケット部を形成し、２つの運搬用容器を積み上げたスタッキング状態では下段の運搬用容器のフランジ部上に支持脚の下端部が載置され、下段の運搬用容器に対して平面視１８０°回転して上段の運搬用容器を重ねたネスティング状態では下段の運搬用容器のポケット部に上段の運搬用容器の支持脚が没入されるように構成されたものにおいて、上段の運搬用容器の支持脚が下段の運搬用容器のフランジ部上をスライド自在とし、上記同じ側壁部に形成した一対の支持脚の互いに対向する面である内側面に、下端が下面に到り且つ下に行くほど互いに離れるように傾斜した傾斜面を形成し、ネスティング状態における上段の運搬用容器の他端部側を支点として一端部側を持ち上げて該持ち上げた側に近い方の支持脚部の外側面の下端が対応するポケット部よりも上方に位置した状態で、持ち上げた側から遠い側の支持脚の内側面に形成した傾斜面の少なくとも上端が対応するポケット部の上端とほぼ同じ高さ又は上方に位置するように設定して成ることを特徴とする運搬用容器。
【請求項２】
同じ側壁部に形成した一対の支持脚の互いに対向する傾斜面に、中央に向けて突出する傾斜リブを該傾斜面に沿って突出して成ることを特徴とする請求項１記載の運搬用容器。
【発明の詳細な説明】
【技術分野】
【０００１】
本発明は、運搬用容器、詳しくは、複数の運搬用容器を積み上げ又は重ねるに当たって、内容物を収納した状態では背を高くして積み上げるスタッキング及び内容物を収納していない状態では背を低くして重ねるネスティングができる運搬用容器に関するものである。
【背景技術】
【０００２】
従来から複数の運搬用容器１を積み重ねるに当たって、内容物を収納した状態では背を高くして積み上げるスタッキング、内容物を収納していない状態では背を低くして重ねるネスティングができる運搬用容器１が特許文献１により知られている。
【０００３】
この特許文献１に示された従来の運搬用容器１は図２３に示すようなものである。すなわち、上記運搬用容器１は、上方が開口した平面視長方形状をしており、運搬用容器１の上開口部の外周部にはフランジ部２が形成してある。運搬用容器１の対向する両側壁部３の外面部の各両端部付近の下部にはそれぞれ側壁部３の外面より突出した支持脚４が設けてある。一方、フランジ部２にはこれと対向する側壁部３に点対称に形成された支持脚４をはめ込むことのできるポケット部５が形成してある。そして、２つの運搬用容器１を同一向きで積み上げた状態では下段の運搬用容器１のフランジ部２上に支持脚４の下端部が載置され、下段の運搬用容器１に対して平面視１８０°回転して上段の運搬用容器１を重ねた状態では下段の運搬用容器１のポケット部に上段の運搬用容器１の支持脚４が没入されるように構成されたものである。
【０００４】
上記のような構成の運搬用容器１は内容物を入れて上下に多段に積み上げる場合には、上記のように下段の運搬用容器１のフランジ部２上に支持脚４の下端部が載置されて背を高くしてスタッキング状態に積み上げる。
【０００５】
一方運搬用容器１に内容物を入れない空の状態で多段に積み重ねるには（つまりネスティング状態にするには）、上記のように下段の運搬用容器１に対して上段の運搬用容器１を平面視で１８０°回転して重ねることで下段の運搬用容器１のポケット部に上段の運搬用容器１の支持脚４を没入させて背を低くして多段に重ねる。
【０００６】
このようなネスティング状態にある上段の運搬用容器１を他端部Ｂを支点として一端部Ａを持ち上げて、上段の運搬用容器１を下段の運搬用容器１から抜き取る際に、持ち上げた側から遠い方の支持脚４が対応するポケット部に引っ掛からないようにするために、同一側壁部３に形成した一対のポケット部の互いに対向する側である内側面に、上に行くほど互いに近づくような傾斜面２０を形成してある。
【０００７】
しかしながら、上記従来例にあっては、ネスティング状態にある上段の運搬用容器１を他端部Ｂを支点として一端部Ａを持ち上げて、持ち上げた側に近い方の支持脚４を対応するポケット部５から引き上げる際、持ち上げた側から遠い方の支持脚４を対応するポケット部の内側面に形成した傾斜面２０をガイドとして引き上げることはできるが、その後、上段の運搬用容器１を、持ち上げた側から遠い方の支持脚４を下段の運搬用容器１のフランジ部２上をスライドさせながら手前側に引きながら取り外す際、当該フランジ部２上をスライドさせている支持脚４が下段の運搬用容器１の手前側のポケット部に落下して図２３のようになるおそれがある。
【０００８】
この図２３のように支持脚４が下段の運搬用容器１の手前側のポケット部に落下すると、当該ポケット部には外側面に傾斜面２０が形成してないので、ポケットの外側面に支持脚４が当たって矢印ハ方向に引いても支持脚４が引っ掛かり、再度少し持ち上げるか、強い力で引かなくてはならないという問題がある。
【０００９】
したがって、上記従来例にあっては、ネスティング状態にある上段の運搬用容器１を他端部Ｂを支点として一端部Ａを持ち上げることで、支持脚４をポケット部から容易に引き抜くことはできるが、そのまま支持脚４をフランジ部２上をスライドさせて取り外すことはできず、作業者は途中で、両手で運搬用容器１全体を持ち上げるか、強い力で引かなくてはならず、作業性が悪くなるという問題がある。
【特許文献１】特開平１０−２３６４８２号公報
【発明の開示】
【発明が解決しようとする課題】
【００１０】
本発明は上記の従来の問題点に鑑みて発明したものであって、ネスティング状態にある上段の運搬用容器の取り外しが簡単にでき、作業性が向上する運搬用容器を提供することを課題とするものである。
【課題を解決するための手段】
【００１１】
上記課題を解決するために本発明に係る運搬用容器は、上方が開口した平面視長方形状をした運搬用容器１の上開口部の外周部にフランジ部２を形成し、対向する側壁部３の外面部の各両端部付近にそれぞれ側壁部３の外面より突出した支持脚４を設け、側壁部３に支持脚４をはめ込むことのできる上方及び内方に開口したポケット部５を形成し、２つの運搬用容器１を積み上げたスタッキング状態では下段の運搬用容器１のフランジ部２上に支持脚４の下端部が載置され、下段の運搬用容器１に対して平面視１８０°回転して上段の運搬用容器１を重ねたネスティング状態では下段の運搬用容器１のポケット部５に上段の運搬用容器１の支持脚４が没入されるように構成されたものにおいて、上段の運搬用容器１の支持脚４が下段の運搬用容器１のフランジ部２上をスライド自在とし、上記同じ側壁部３に形成した一対の支持脚４の互いに対向する面である内側面に、下端が下面に到り且つ下に行くほど互いに離れるように傾斜した傾斜面６を形成し、ネスティング状態における上段の運搬用容器１の他端部Ｂ側を支点として一端部Ａを持ち上げて該持ち上げた側に近い方の支持脚４の外側面の下端が対応するポケット部５よりも上方に位置した状態で、持ち上げた側から遠い側の支持脚４の内側面に形成した傾斜面６の少なくとも上端が対応するポケット部５の上端とほぼ同じ高さ又は上方に位置するように設定して成ることを特徴とするものである。
【００１２】
このような構成とすることで、ネスティング状態にある上段の運搬用容器１の他端部Ｂ側を支点として一端部Ａを持ち上げて該持ち上げた側に近い方の支持脚４の外側面の下端が対応するポケット部５よりも上方に位置させると、持ち上げた側から遠い側の支持脚４の内側面に形成した傾斜面６の少なくとも上端が対応するポケット部５の上端とほぼ同じ高さ又は上方に位置するので、そのまま、一端部Ａを持ち上げたまま手前側に引くことで、傾斜面６がポケット部５の開口の上端縁に当たりながら滑ることで持ち上げた側から遠い側の支持脚４がスムーズに対応するポケット部５から引き抜かれ、更に、一端部Ａを持ち上げたまま手前側に引く作業を継続することで、引き上げられた持ち上げた側から遠い側の支持脚４が下段の運搬用容器１のフランジ部２上を滑りながら手前側にスライドし、手前側のポケット部５に到ると、支持脚４の下面のスライド方向の長さが当該ポケット部５の上開口の巾よりも長い場合はそのままスライドし、支持脚４の下面のスライド方向の長さが当該ポケット部５の上開口の巾よりも短い場合は、一旦当該ポケット部５に落ち込むが、落ち込んだ支持脚４の外側面に傾斜した傾斜面６が当該ポケット部５の開口の上端縁に当たることで、上記と同様に一端部Ａを持ち上げた状態のまま手前に引く作業を継続することで、そのまま傾斜面６にガイドされながらスライドを継続し、上段の運搬用容器１を手前に引き取ることができる。
【００１３】
また、同じ側壁部３に形成した一対の支持脚４の互いに対向する傾斜面６に、中央側に向けて突出する傾斜リブ７を該傾斜面６に沿って突出していることが好ましい。
【００１４】
このような構成とすることで、傾斜面６に沿って設けた傾斜リブ７がポケット部５の開口の上端縁に当たりながら滑り、接触抵抗が少なく、持ち上げた側から遠い側の支持脚４が対応するポケット部５からよりスムーズに引き抜かれる。
【発明の効果】
【００１５】
本発明は、上記のように構成したので、ネスティング状態にある運搬用容器の他端部側を支点として一端部を持ち上げて該持ち上げた側に近い方の支持脚部の外側面の下端が対応するポケット部よりも上方に位置させてそのまま、一端部を持ち上げたまま手前側に引くことで、傾斜面をガイドとして持ち上げた側から遠い方の支持脚をスムーズにポケット部から引き抜くことができる。しかも、そのまま、手前に引き続けることで、該支持脚を下段の運搬用容器のフランジ部上を滑らせながら手前側にスライドして引き出して取り出すことができる。更に、スライドして引き出すに当って、手前側のポケット部に到ると、支持脚の下面のスライド方向の長さが当該ポケット部の上開口の巾よりも長い場合はそのままスライドしてスムーズに引き出すことができ、一方、支持脚の下面のスライド方向の長さが当該ポケット部の上開口の巾よりも短い場合は、一旦当該ポケット部に落ち込むが、落ち込んだ支持脚の外側面に傾斜した傾斜面が当該ポケット部の開口の上端縁に当たることで、一端部を持ち上げた状態のまま手前に引く作業を継続することで、そのまま傾斜面にガイドされながらスライドを継続し、上段の運搬用容器を手前にスムーズに引き取ることができる。これにより、上段の運搬用容器の一端部側、他端部側のどちらを手前側としても引き出すようにして取り外すことが可能となり、作業性が極めて良くなる。
【発明を実施するための最良の形態】
【００１６】
以下、本発明を添付図面に示す実施形態に基いて説明する。
【００１７】
図１乃至図９に本発明の運搬用容器１の一実施形態が示してある。この運搬用容器１は上方が開口していて上開口部の開口縁に外側方に向けてフランジ部２が形成してある。
【００１８】
運搬用容器１の長辺側の側壁部３のうち一方の長辺側の側壁部３ａの外面部の両側付近の下部にはそれぞれ支持脚４が突出して形成されている。ここで、両側の支持脚４のうち一方の支持脚４ａは他方の支持脚４ｂよりも幅が狭くなっている。
【００１９】
また、長辺側の他方の側壁部３ｂの上部には平面視で運搬用容器１の中心点Ｏ（図４、図５に示す）を中心として支持脚４ａ、４ｂと点対象の位置にそれぞれ支持脚４ａ、４ｂを嵌入することのできる上方及び内方に開口したポケット部５（支持脚４ａを嵌入することができるポケット部５ａと支持脚４ｂを嵌入することができるポケット部５ｂ）が各々形成してある。
【００２０】
同様に、長辺側の他方の側壁部３ｂの両側付近の下部にはそれぞれ支持脚４ａ、４ｂが形成してあり、また、長辺側の一方の側壁部３ａの上部には該支持脚４ａ、４ｂが嵌入することのできるポケット部５ａ、５ｂが運搬用容器１の中心点Ｏを中心として支持脚４ａ、４ｂと点対象の位置に各々形成してある。
【００２１】
また、短辺側の側壁部３のうち一方の短辺側の側壁部３ｃの外面部の両側付近の下部にはそれぞれ支持脚４ｃ、４ｃが突出して形成されている。
【００２２】
また、短辺側の他方の側壁部３ｄの上部には平面視で運搬用容器１の中心点Ｏを中心として支持脚４ｃ、４ｃと点対象の位置にそれぞれ支持脚４ｃ、４ｃが嵌入することのできるポケット部５ｃ、５ｃが各々形成してある。
【００２３】
同様に、短辺側の他方の側壁部３ｄの両側付近の下部にはそれぞれ支持脚４ｄ、４ｄが形成してあり、また、短辺側の一方の側壁部３ａの上部には該支持脚４ｄ、４ｄが嵌入することのできるポケット部５ｄ、５ｄが平面視で運搬用容器１の中心点Ｏを中心として点対象の位置に各々形成してある。
【００２４】
ここで、支持脚４ｃ、４ｃ間の距離は支持脚４ｄ、４ｄ間の距離と異なる距離に設定してある。
【００２５】
なお、上記各ポケット部５（５ａ、５ｂ、５ｃ、５ｄ）はいずれも上方においてはフランジ部２に開口している。
【００２６】
ここで、本発明においては、対向する側壁部３（添付図面に示す実施形態では対向する長辺側の側壁部３ａ、３ｂ）には、それぞれ同じ側壁部３に形成した一対の支持脚４の互いに対向する面である内側面に、下端が下面に到り且つ下に行くほど互いに離れるように傾斜した傾斜面６を形成してある。
【００２７】
傾斜面６としては図１乃至図９、図１９に示すような湾曲した傾斜面６であっても、平面状をした傾斜面６であってもよい。更に、傾斜面６は、平面を組み合わせた多角形や平面と湾曲を組み合わせたものであってもよい。なお、傾斜面６は、フランジ部２に近づくにつれてフランジ部２と直交する方向にして、ポケット部５の上開口の巾を短くすることができる。このことによって、多段積みした運搬用容器１の搬送中に、上段の運搬用容器１が横ずれして下段の運搬用容器１の側面部やポケット部５に横方向の力が生じても、ポケット部５の巾が短いので破損することが無い。
【００２８】
また、添付図面（図１９に詳細を示している）に示すように、上記傾斜面６には中央側（一対の支持脚４を設けた側壁部３の中央側）に向けて突出する傾斜リブ７を、該傾斜面６に沿って突出形成するのが好ましい。
【００２９】
上記のような構成の運搬用容器１は合成樹脂により一体に形成してあり、この運搬用容器１は例えば下段の運搬用容器１の上開口に上段の運搬用容器１の底部を嵌め込むと共に下段の運搬用容器１の上端のフランジ部２に上段の運搬用容器１の支持脚４（４ａ、４ｂ、４ｃ、４ｄ）を載置して図１０、図１１のように背を高くして積み上げる（いわゆるスタッキングという）ことができ、内部に収納物を収納した状態で運搬用容器１を上下に積み上げることができるものである。このスタッキング積み状態では下段の運搬用容器１の上に上段の運搬用容器１を同一向きの姿勢で積み重ねるものである。
【００３０】
一方、上段の運搬用容器１を平面視で１８０°回転した状態で下段の運搬用容器１内に上段の運搬用容器１を嵌め込み、上段の運搬用容器１の支持脚４ａ、４ｂ、４ａ、４ｂ及び支持脚４ｃ、４ｃ、４ｄ、４ｄをそれぞれ下段の運搬用容器１のポケット部５ａ、５ｂ、５ａ、５ｂ及びポケット部５ｃ、５ｃ、５ｄ、５ｄに嵌め込み、上段の運搬用容器１のポケット部５を下段の運搬用容器１のフランジ部２の上面に載置し、これにより図１２、図１３、図１４のように背を低くして積み重ね（いわゆるネスティングという）て嵩張らないようにすることができる。このように、空の運搬用容器１をネスティング積みすることで、コンパクトに積み重ねた状態で多数の運搬用容器１を運搬したり、あるいは保管しておくことができる。
【００３１】
このような図１４に示すネスティング状態において、上段の運搬用容器１を下段の運搬用容器１から抜き取るに当たっては、上段の運搬用容器１の対向する両端部を両手で掴んで上段の運搬用容器１をほぼ垂直に持ち上げることで抜き取ることができるのはもちろんであるが、本発明においては、図１５のように、上段の運搬用容器１の他端部Ｂ側を支点として一端部Ａを持ち上げて、一端部Ａを持ち上げたまま手前側に引くことで、持ち上げた側から遠い側の支持脚４を対応するポケット部５から引き抜き、引き続き該支持脚４をフランジ部２上でスライドさせながら引き取ることができるようになっている。
【００３２】
本発明においては、図１４のように、ネスティング状態における上段の運搬用容器１の他端部Ｂ（実施形態では長辺と平行な方向の他端部）側を支点として一端部Ａ（実施形態では長辺と平行な方向の一端部）を図１５の矢印イのように持ち上げて、該持ち上げた側に近い方の支持脚４の外側面の下端が対応するポケット部５よりも上方に位置した状態で、持ち上げた側から遠い側の支持脚４の内側面に形成した傾斜面６の少なくとも上端が対応するポケット部５の上端とほぼ同じ高さ又は上方に位置するように設定してある。
【００３３】
すなわち、上段の運搬用容器１の長辺と平行な方向の他端部Ｂを支点として長辺と平行な方向の一端部Ａを矢印イのように片手で持ち上げて支点となる他端部Ｂを中心に上方に回動すると、上段の運搬用容器１の同一側壁部３に設けた一対の支持脚４のうち、支点に近い方の支持脚４の内側面の下端の支点を中心にした回転半径が、支点から遠い方の支持脚４の外側面の下端の支点を中心にした回転半径よりも小さいため、上記回転により支点に近い方の支持脚４の内側面の下端が対応するポケット部５の内側面に当たり易い。しかしながら、本発明にあっては、支持脚４の内側面に傾斜面６を形成してあることで、上記支点を中心に回動させた際に、支点に近い方の支持脚４の内側面の下端が対応するポケット部５の内側面に回動を阻害するほど強く当たらないようにでき、これにより、図１５のように、一端部Ａを持ち上げて、持ち上げた側に近い方の支持脚４（支点から遠い方の支持脚４）の外面側の下端を対応するポケット部５よりも上方に引き上げる際に、持ち上げた側から遠い方の支持脚４（支点に近い方の支持脚４）の内面側の下端が対応するポケット部５の内側面に強く当たらず、持ち上げた側に近い方の支持脚４の外面側の下端を対応するポケット部５よりも上方にスムーズに引き上げることができる。
【００３４】
しかも、上記のように、持ち上げた側に近い方の支持脚４（支点から遠い方の支持脚４）の外面側の下端を対応するポケット部５よりも上方に引き上げると、図１５のように、持ち上げた側から遠い側の支持脚４（支点に近い方の支持脚４）の内側面に形成した傾斜面６の少なくとも上端が対応するポケット部５の上端とほぼ同じ高さ又は上方に位置するので、そのまま、上段の運搬用容器１を一端部Ａを持ち上げたまま手前側（矢印ロ方向）に引くことで、傾斜面６がポケット部５の開口の上端縁に当たりながら滑り、持ち上げた側から遠い側の支持脚４をスムーズに対応するポケット部５から引き抜くことができる。更に、図１６に示すように、一端部Ａを持ち上げたまま手前側（矢印ロ方向）に引く作業を継続することで、引き上げられた持ち上げた側から遠い側の支持脚４が下段の運搬用容器１のフランジ部２上を滑りながら手前側にスライドする。
【００３５】
ここで、引き出すためにスライドさせている途中で、持ち上げた側から遠い方の支持脚４が手前側のポケット部５に到ると、支持脚４の下面のスライド方向の長さが当該ポケット部５の上開口の巾よりも長い場合は、該支持脚４がポケット部５に落ち込むことなくそのままスライドして通過し、運搬用容器１を手前に引き出して取り外すことができる。
【００３６】
また、支持脚４の下面のスライド方向の長さが当該ポケット部５の上開口の巾よりも短い場合は、スライドの途中で、一旦当該ポケット部５に落ち込むが、図１７に示すように、落ち込んだ支持脚４の外側面に傾斜した傾斜面６が当該ポケット部５の開口の上端縁に当たることで、上記の説明と同様にして一端部Ａを持ち上げた状態のまま手前側（矢印ロ方向）に引く作業を継続することで、そのまま傾斜面６にガイドされながらスライドを継続し、上段の運搬用容器１を手前に引き取ることができる。
【００３７】
図１８に示す実施形態では、上段の運搬用容器１の他端部Ｂを支点として一端部Ａを矢印イに示すように、上方に少し持ち上げ、その後、一端部Ａ側を手前側として矢印ハ方向にスライドさせて引き出すことで取り外す例を示したが、上段の運搬用容器１の一端部Ａを支点として他端部Ｂを上方に少し持ち上げ、その後、他端部Ｂ側を手前側としてスライドさせて引き出すことで上記と同様にして取り外すこともできる。
【００３８】
このように、本発明においては、上段の運搬用容器１の一端部Ａ側、他端部Ｂ側のどちらを手前側としても引き出すようにして取り外すことが可能となり、作業性が極めて良くなる。
【００３９】
上記実施形態では対向する長辺側の側壁部３ａ、３ｂの外面部の各両端部付近の下部にそれぞれ突出した一対の支持脚４ａ、４ｂの互いに対向する内側面に傾斜面６を形成した例を示したが、短辺側の側壁部３ｃ、３ｄの外面部の各両端部付近の下部にそれぞれ突出した一対の支持脚４ｃ、４ｃ、又は４ｄ、４ｄの互いに対向する内側面に傾斜面６を形成してもよいものである。
【００４０】
ところで、本発明において、図１９のように、傾斜面６には中央側（一対の支持脚４を設けた側壁部３の中央側）に向けて突出する傾斜リブ７を、該傾斜面６に沿って突出形成すると、傾斜面６に沿って設けた傾斜リブ７がポケット部５の開口の上端縁に当たりながら滑り、接触抵抗が少なく、持ち上げた側から遠い側の支持脚４が対応するポケット部５からよりスムーズに引き抜くことができ、よりいっそう軽い力でスムーズに支持脚４をポケット部５から引き上げることができる。
【００４１】
更に、傾斜リブ７や水平リブ７ａ（傾斜リブ７下端の水平方向のリブ７ａ）よりスライドリブ２５（図１１に示すフランジ部２の内側に設けた内側リブ）の突出量を高くすることによって、水平リブ７ａがスライドリブ２５を乗り越えることがなく、上段の運搬用容器１が下段の運搬用容器１に落ちることがなくなる。
【００４２】
また、一方のポケット部５より内側のポケット部５の上開口の巾は、一方のポケット部５の巾より短くできる。また、このポケット部５に挿入される傾斜面６の上方の垂直面は、他方より短くできる。
【００４３】
ところで、上段の運搬用容器１の一端部Ａ側や他端部Ｂ側を最小限持ち上げてスムーズにスライドさせるためには、支持脚４の傾斜面６とポケット部５の上開口端部の角度が緩い角度でかつ略同等（例えば４５°）であるのが好ましいが、上記角度を緩い角度とするとポケット部５の上開口の巾が広くなり、横ずれ等の強度が弱くなる。
【００４４】
そこで、ポケット部５の巾を狭くするために、傾斜面６の上部（フランジ部２側）を垂直面とすることで、ポケット部５の上開口の巾を狭くしているが、更に、図１８のように図１５に比べて、支点側から遠いポケット部５に挿入される支持脚４においては、更に、垂直面の高さＨ２を図１５における垂直面の高さＨ１よりも長くすることができて、ポケット部５の上開口の巾を短くできる。
【００４５】
つまり、一端部Ａ又は他端部Ｂを持ち上げた時に支点からポケット部５が遠い方が支持脚４が高く持ち上げられ、この結果、一端部Ａ又は他端部Ｂの持ち上げ高さは低くてもよく、持ち上げてスライドさせるという操作がしやすくなる。
【００４６】
また、傾斜面６をポケット部５の上開口端部に近接又は当接させることにより、スライドがスムーズに行える。
【００４７】
なお、添付図面に示す実施形態では支持脚４をリブで形成したが、図２１のように内方側を開口させて外方側に面を形成してもよい。
【００４８】
ところで、上記実施形態においては、２つの運搬用容器１を同一向きで積み上げた状態では下段の運搬用容器１のフランジ部２上に支持脚４の下端部が載置され、下段の運搬用容器１に対して平面視１８０°回転して上段の運搬用容器１を重ねた状態では下段の運搬用容器１のポケット部に上段の運搬用容器１の支持脚４が没入される同方向スタッキング及び異方向ネスティングの例で説明したが、図２２に示すように、ポケット部５の下に支持脚４を形成することによって、同方向ネスティング及び異方向スタッキングも上記と同様な操作と効果を得ることができる。
【図面の簡単な説明】
【００４９】
【図１】本発明の運搬用容器の斜視図である。
【図２】同上の正面図である。
【図３】同上の背面図である。
【図４】同上の平面図である。
【図５】同上の底面図である。
【図６】同上の右側面図である。
【図７】同上の左側面図である。
【図８】同上の側面断面図である。
【図９】同上の正面断面図である。
【図１０】同上の運搬用容器をスタッキングした状態の正面図である。
【図１１】同上のスタッキングした部分の拡大断面図である。
【図１２】同上の運搬用容器をネスティングした状態の正面図である。
【図１３】同上のネスティングした部分の側面断面図である。
【図１４】同上のネスティングした部分の正面断面図である。
【図１５】同上のネスティング状態で上段の運搬用容器の一端部を持ち上げて上段の運搬用容器を回動しながら抜き取る動作を示す説明図である。
【図１６】同上のネスティング状態で上段の運搬用容器の一端部を持ち上げて上段の運搬用容器を回動しながら抜き取る動作を示す説明図である。
【図１７】同上のネスティング状態で上段の運搬用容器の一端部を持ち上げて上段の運搬用容器を回動しながら抜き取る動作を示す説明図である。
【図１８】同上のネスティング状態で上段の運搬用容器の図１５とは反対側の端部を持ち上げて上段の運搬用容器を回動しながら抜き取る動作を示す説明図である。
【図１９】傾斜リブを示し、（ａ）は拡大斜視図であり、（ｂ）は拡大断面図である。
【図２０】本発明の傾斜面の異なる例を示す運搬用容器の正面図である。
【図２１】本発明の支持脚の異なる例を示す要部斜視図である。
【図２２】本発明の運搬用容器の他の実施形態を示し、（ａ）は平面図であり、（ｂ）は正面図であり、（ｃ）は背面図である。
【図２３】従来例においてネスティング状態で上段の運搬用容器の一端部を持ち上げて上段の運搬用容器をスライドさせながら引き出した際に、支持脚が手前側のポケット部に落ち込んだ場合の問題点を示す説明図である。
【符号の説明】
【００５０】
１  運搬用容器
２  フランジ部
３  側壁部
４  支持脚
５  ポケット部
６  傾斜面
７  傾斜リブ
【図１】
2010126171.tif 000003
【図２】
2010126171.tif 000004
【図３】
2010126171.tif 000005
【図４】
2010126171.tif 000006
【図５】
2010126171.tif 000007
【図６】
2010126171.tif 000008
【図７】
2010126171.tif 000009
【図８】
2010126171.tif 000010
【図９】
2010126171.tif 000011
【図１０】
2010126171.tif 000012
【図１１】
2010126171.tif 000013
【図１２】
2010126171.tif 000014
【図１３】
2010126171.tif 000015
【図１４】
2010126171.tif 000016
【図１５】
2010126171.tif 000017
【図１６】
2010126171.tif 000018
【図１７】
2010126171.tif 000019
【図１８】
2010126171.tif 000020
【図１９】
2010126171.tif 000021
【図２０】
2010126171.tif 000022
【図２１】
2010126171.tif 000023
【図２２】
2010126171.tif 000024
【図２３】
2010126171.tif 000025